(57)【特許請求の範囲】
【請求項１】
壁体に挿入されるピンと、前記ピンの基端部を支持するヘッド部とを備えた留め具において、
前記ヘッド部は、前記壁体と平行に向き合うとともに前記ピンを複数本前記壁体に対して非垂直に突出する平坦な第１の作用面と、前記ピンの挿入軸と交わる平坦な第２の作用面とを備え、前記ピンの挿入時には、前記第２の作用面を押圧することを特徴とする留め具。
【発明の詳細な説明】
【０００１】
【発明の属する技術分野】
本発明は、壁体に挿入されるピンと、ピンの基端部を支持するヘッド部とを備えた留め具に関する。
【０００２】
【従来の技術】
壁体にピンを挿入して使用する画鋲等の留め具は、その使用形態や目的に応じて各種のものが提案されている。例えば、特開平８−２１８９や特開２００１−９６９９１等には、ピンの基端部を支持するヘッド部に孔部を設け、不使用時には複数個の留め具を合体させるものが開示されている。ここで、一方の留め具におけるピンは、他方の留め具における孔部に収納される。すなわち、孔部にピンを収納することによれば、使用者の不注意による怪我の防止に貢献することが可能であり、安全性が一層向上される。
【０００３】
【発明が解決しようとする課題】
ところで、留め具のピンを壁、柱、家具等の壁体に挿入する場合は、ピンを挿入した痕跡が目立たないように、比較的細身のピンを用いるのが望ましい。但し、通常の留め具は、壁体に対して垂直にピンを挿入する構成であるため、比較的細身のピンを用いて重量物を壁体に支えると、ピンが壁体から抜け落ちる心配が顕著となる。
【０００４】
一方、留め具の製造について、前述したようにヘッド部に孔部を設ける場合は、ヘッド部の穿孔行程が必要となる、又はヘッド部を作成する金型が複雑化するという不利があり、その製造現場では、ヘッド部の作成をより簡素化する構成が望まれている。
【０００５】
本発明は、かかる諸事情に鑑みてなされたものであり、その目的は、より優れた留め具を提供することである。
【０００６】
【課題を解決するための手段】
本願第１請求項に記載した発明は、壁体に挿入されるピンと、前記ピンの基端部を支持するヘッド部とを備えた留め具において、前記ヘッド部は、前記壁体と平行に向き合うとともに前記ピンを複数本前記壁体に対して非垂直に突出する平坦な第１の作用面と、前記ピンの挿入軸と交わる平坦な第２の作用面とを備え、前記ピンの挿入時には、前記第２の作用面を押圧する構成の留め具である。このような構成によると、優れた留め具が得られる。
【０００７】
すなわち、本発明の留め具によれば、壁体に対して非垂直にピンを挿入するので、留め具に対する負荷の方向に応じてピンの向きを設定することにより、その負荷を合理的に支えることが可能となる。ついては、留め具の耐重量性が向上される。具体的には、垂直の壁体に物品を支える場合が多く、このときピンは壁体に対して下向きに挿入される。
【０００８】
更に、このように負荷を合理的に支えることによれば、より細身のピンを用いることが可能である。細身のピンを用いると、ピンを挿入した痕跡が目立たなくなるという利点がある。
【０００９】
また、ピンの挿入時には、ピンの挿入軸と交わる第２の作用面を押圧する。つまり本発明の留め具は、ピンが壁体に容易に挿入されるものであり、非常に便利である。
【００１２】
また、留め具が壁体に対して不用意に回転する心配はない。
【００１４】
【発明の実施の形態】
以下に、本発明の具体例を図面に基づいて詳細に説明する。
【００１５】
図１乃至図５に示す本例の留め具１は、壁体に挿入される互いに平行な複数のピン２０と、複数のピン２０の基端部を支持するヘッド部３０とを備えたものである。また、当該留め具１は、複数個合体可能に構成されたものである。具体的には、ヘッド部３０の両脇側面にはそれぞれ溝部３１を設けており、その合体時には、一方の留め具１における複数のピン２０が、他方の留め具１における各溝部３１にそれぞれ収納される。そして、他方の留め具１におけるヘッド部３０は、一方の留め具１における複数のピン２０に適宜圧力で挟まれ、複数の留め具１は互いに位置決めされる。
【００１６】
各溝部３１は、ヘッド部３０の側面において、その端から端に亘るものである。そして、留め具１の合体は、２つの留め具１を互いに反転した位置関係で向かい合わせて、その状態から両者のヘッド部３０を当接してなされる（図１及び図２参照）。両者のピン２０は、相手の溝部３１にそれぞれ収納される。
【００１７】
或いは、ピン２０の向きを揃えて複数の留め具１を重ねるように合体することも可能である（図３参照）。この場合、先頭の留め具１のピン２０はむき出しになるため、かかるピン２０には発泡スチロール等の保護部材４０を装着する。とりわけ、溝部３１のクリアランスに余裕がある場合は、先頭の留め具１を反転して、先頭から２番目の留め具１の溝部３１に両側からピン２０を収納する等してもよい。
【００１８】
本例のヘッド部３０は、壁体と平行に向き合うとともに複数のピン２０を壁体に対して非垂直に突出する第１の作用面Ａと、複数のピン２０の挿入軸Ｃとそれぞれ垂直又はほぼ垂直に交わる第２の作用面Ｂとを備えたものである（図４参照）。各溝部３１は、第１の作用面Ａを挟む両脇側面にそれぞれ設けられている。そして、複数のピン２０の挿入時には、第２の作用面Ｂを手押しで押圧することにより、それらを壁体に挿入する。
【００１９】
このヘッド部３０は、所定の金型を用いて樹脂を射出成形してなるものである。第１の作用面Ａには、軽量化及び材料コストの低減を達成するべく、肉抜き部３２を形成している。肉抜き部３２は、留め具１の使用時には隠れるので、外観を損なうことはない。また、各ピン２０は、射出成形とともにヘッド部３０と一体化したステンレス製のインサート部材である。ここで仮に、合体時に相手のピン２０を収納する孔部を射出成形しようとすると、金型が非常に複雑化する問題が生じるところ、本例によれば、そのような不都合が満足に回避される。
【００２０】
尚、各ピン２０については、ヘッド部３０からの抜け止めを防止するべく、ヘッド部３０内において屈曲したり、互いに連結されたりしたもの（図５参照）を用いてもよい。
【００２１】
このように本例は、耐重量性、利便性、安全性、及び製造性に優れた留め具１であり、壁体に物品を支える用具として、極めて好適に利用することができる。
【００２２】
以下に、前述した留め具１の使用例を図６乃至図８に基いて説明する。
【００２３】
かかる使用例では、複数の留め具１を利用して壁体たる石膏ボード１００にフックプレート２００を支持した後、フックプレート２００に壁掛け時計３００を装着する構成となっている。（図６及び図８参照）。石膏ボード１００は、集合住宅の室内壁として広く利用されている。
【００２４】
フックプレート２００は、壁掛け時計３００を掛け止めるフック部２０１と、ピン２００を挿通する通孔２０２（図８参照）とを成形してなる金属プレートである。各留め具１のピン２０は、フックプレート２００の通孔２０２に挿通されるとともに垂直の石膏ボード１００に対して下向きに挿入される。
【００２５】
壁掛け時計３００は、指針３０１を駆動するムーブメント３０２と、文字板３０３とを組み付けて構成されている。指針３０１は文字板３０３の正面側に配置され、ムーブメント３０２は文字板３０３の背面側に配置されている。また、ムーブメント３０２及び文字板３０３の間には、金属プレートを所定の形状に成形してなる掛け止めプレート３０４を支持している。掛け止めプレート３０４は、フックプレート２００のフック部２０１に係止される環状体であり、壁掛け時計３００は、掛け止めプレート３０４をフック部２０１に係止して装着される。
【００２６】
このような壁掛け時計３００について、従来の留め具を用いる場合は、石膏ボード１００に対して垂直にピンを挿入することになるため、フックプレート２００及び壁掛け時計３００の荷重によれば、ピンが石膏ボード１００から抜け落ちる心配が顕著となる。これに対し、本例の留め具１によれば、それらを一層堅固に支えることができ、非常に有利である。特に本例では、比較的細身のピン２０を用いているので、ピン２０を石膏ボード１００に挿入した痕跡があまり目立たないという利点もある。
【００２７】
【発明の効果】
以上説明したように、本願発明の構成によれば、優れた留め具を得ることができる。
【図面の簡単な説明】
【図１】  本発明の具体例に係り、留め具を示す斜視図である。
【図２】  本発明の具体例に係り、合体した留め具を示す斜視図である。
【図３】  本発明の具体例に係り、合体した留め具を示す斜視図である。
【図４】  本発明の具体例に係り、（ａ）は留め具を示す正面図、（ｂ）は留め具を示す側面断面図である。
【図５】  本発明の具体例に係り、（ａ）は留め具を示す正面図、（ｂ）は留め具を示す側面断面図である。
【図６】  本発明の具体例に係り、留め具の使用例を示す正面図である。
【図７】  本発明の具体例に係り、留め具の使用例を示す側面図である。
【図８】  本発明の具体例に係り、フックプレートを示す正面図である。
【符号の説明】
１      留め具
２０      ピン
３０      ヘッド部
３１      溝部
３２      肉抜き部
４０      保護部材
Ａ      第１の作用面
Ｂ      第２の作用面
Ｃ      ピンの挿入軸
１００      石膏ボード
２００      フックプレート
２０１      フック部
２０２      通孔
３００      壁掛け時計
３０１      指針
３０２      ムーブメント
３０３      文字板
３０４      掛け止めプレート
【図１】
0003721335.tif 000002
【図２】
0003721335.tif 000003
【図３】
0003721335.tif 000004
【図４】
0003721335.tif 000005
【図５】
0003721335.tif 000006
【図６】
0003721335.tif 000007
【図７】
0003721335.tif 000008
【図８】
0003721335.tif 000009